(57)【要約】【課題】回路基板に対して略垂直な力が一方のコネクタに加えられても、コネクタ同士の嵌合を維持できる電気コネクタを提供する。【解決手段】第２のグランドコンタクトは、第１の中心コンタクトが第２のハウジング２３０の幅広面に沿うようにして、Ｕ字状の開口部分から奥側に向けてスライド嵌合される第１のコネクタ１００が、第２のコネクタ２００と嵌合した際、第１のグランドコンタクトの嵌合部１１２に当接することで、スライドの方向を除く、幅広面に対して水平になる方向への、第１のコネクタ１００の移動を規制し、更に、第１のグランドコンタクトの係止部１１３と係合することで、幅広面に対して垂直になる方向への、第１のコネクタ１００の移動を規制する、Ｕ字状の平板部から構成される規制部２２１を備える。【選択図】図９
2015207350.tif 000002
【特許請求の範囲】
【請求項１】
ケーブルと電気的に接続可能な第１のコネクタと、前記第１のコネクタに嵌合可能に構成された、回路基板と電気的に接続可能な第２のコネクタとを備え、前記第１のコネクタを前記回路基板に対して略水平な方向にスライドさせて前記第２のコネクタに嵌合させることで、前記ケーブルと前記回路基板とを電気的に接続させる電気コネクタであって、
前記第１のコネクタは、
前記ケーブルの中心導体に接続される導電性の第１の中心コンタクトと、
前記第１の中心コンタクトを取り囲むように形成された中空状の導電性の嵌合部、および、前記嵌合部の外壁から外部に向かって延設された板状の導電性の係止部を備えた、前記ケーブルの外部導体に接続される導電性の第１のグランドコンタクトと、
前記第１の中心コンタクトと前記嵌合部の内壁との間に配置され、前記第１の中心コンタクトを前記第１のグランドコンタクトに対して絶縁した状態で保持する第１のハウジングと、を備え、
前記第２のコネクタは、
前記回路基板の信号線路と接続可能であると共に、前記嵌合の際に、前記第１の中心コンタクトと当接可能な位置に配置された導電性の第２の中心コンタクトと、
前記回路基板の接地線路と接続可能であると共に、前記嵌合の際に、前記第１のグランドコンタクトの前記嵌合部と当接可能な、前記回路基板に対して略平行なＵ字状の平板部を有する導電性の第２のグランドコンタクトと、
前記第２の中心コンタクトを前記第２のグランドコンタクトに対して絶縁した状態で保持する、前記回路基板に対して幅広面が略水平になるように前記第２のグランドコンタクトに取り付けられた、絶縁体からなる板状の第２のハウジングと、を備え、
前記第２のグランドコンタクトは、
前記第１の中心コンタクトが前記第２のハウジングの幅広面に沿うようにして、前記Ｕ字状の開口部分から奥側に向けてスライド嵌合される前記第１のコネクタが、前記第２のコネクタと嵌合した際、前記第１のグランドコンタクトの前記嵌合部に当接することで、前記スライドの方向を除く、前記幅広面に対して水平になる方向への、前記第１のコネクタの移動を規制し、更に、前記第１のグランドコンタクトの前記係止部と係合することで、前記幅広面に対して垂直になる方向への、前記第１のコネクタの移動を規制する、前記Ｕ字状の平板部から構成される規制部を備える、
電気コネクタ。
【請求項２】
前記第２のグランドコンタクトは、
前記回路基板に対して略平行なＣ字状の平板状の弾性体から構成されており、前記回路基板に対して略水平な方向にスライド嵌合される前記第１のコネクタが、前記Ｃ字状の開口部分に当接したとき、その開口部分を広げて、前記第１のコネクタを前記開口部分から挿通し、前記嵌合が完了した際には、前記開口部分を狭めて、前記第１のグランドコンタクトの前記嵌合部を挟むように保持する保持部を備える、
請求項１に記載の電気コネクタ。
【請求項３】
前記保持部は、前記Ｃ字状の平板の両端に、互いに対向するように突出した突起を備える、
請求項２に記載の電気コネクタ。
【請求項４】
前記第２の中心コンタクトは、弾性体で構成されており、前記嵌合の際に、前記第１の中心コンタクトを前記幅広面に対して垂直になる方向に押すことで、前記第１のコネクタの前記係止部を前記第２のコネクタの前記規制部に当接させる、
請求項１に記載の電気コネクタ。
【請求項５】
前記第１のグランドコンタクトの前記嵌合部は、円筒形状である、
請求項１に記載の電気コネクタ。
【発明の詳細な説明】
【技術分野】
【０００１】
本発明は、電気コネクタに関する。
【背景技術】
【０００２】
コネクタ同士が嵌め合わされることで、一方のコネクタに接続されたケーブルと、他方のコネクタに接続された回路基板とを、電気的に接続する電気コネクタとして、例えば、特許文献１に記載の電気コネクタが知られている。
【０００３】
この電気コネクタの一方のコネクタは、一対の舌片状の金属板からなる第１の端子と、この第１の端子が内部に取り付けられる円柱状の第１の絶縁体と、第１の絶縁体を空間を隔てて囲むように配置された筒状の金属からなる第１の筒状部と、を備えている。
【０００４】
第１の端子は、ケーブルの中心導体に接続されている。また、第１の筒状部は、ケーブルの外部導体に接続されている。
【０００５】
また、他方のコネクタは、回路基板に実装されており、回路基板に対して略垂直に突出した軸状の金属からなる第２の端子と、第２の端子を空間を隔てて囲むように配置された筒状の金属からなる第２の筒状部と、第２の端子と第２の筒状部とを絶縁する第２の絶縁体と、を備えている。
【０００６】
一方のコネクタと他方のコネクタとを嵌合させる際、作業者は、回路基板に対して略垂直に一方のコネクタを移動させて、他方のコネクタに近づける。
【０００７】
そして、作業者は、一方のコネクタの第１の端子に他方のコネクタの第２の端子を接触させると共に、一方のコネクタの第１の絶縁体と第１の筒状部との間の空間に、他方のコネクタの第２の筒状部を嵌める。これにより、第１の筒状部および第２の筒状部も接触する。
【０００８】
このようにして、一方のコネクタと他方のコネクタとが嵌合すると、電気コネクタは、ケーブルと回路基板とを電気的に接続する。
【先行技術文献】
【特許文献】
【０００９】
【特許文献１】特開２００１−４３９３９号公報
【発明の概要】
【発明が解決しようとする課題】
【００１０】
特許文献１に記載されている電気コネクタは、パソコン等の電子機器内に組み付ける際、ケーブルの取り回しにより、ケーブルに煽りが生じることがある。
【００１１】
ここで、特許文献１に記載されている電気コネクタの一方のコネクタは、他方のコネクタに、回路基板に対して略垂直に嵌合されている。このため、ケーブルに発生した上述の煽りによって、回路基板に対して略垂直な力が、即ち、他方のコネクタとの嵌合を解除し得る力が、ケーブルから一方のコネクタに加えられると、特許文献１に記載されている電気コネクタでは、一方のコネクタと他方のコネクタとの嵌合が解除され得るという問題点がある。
【００１２】
本発明は、上記実情に鑑みてなされたものであり、ケーブルに発生した煽りにより回路基板に対して略垂直な力が一方のコネクタに加えられても、コネクタ同士の嵌合を維持できる電気コネクタを提供することを目的とする。
【課題を解決するための手段】
【００１３】
上記目的を達成するために、この発明に係る電気コネクタは、
ケーブルと電気的に接続可能な第１のコネクタと、第１のコネクタに嵌合可能に構成された、回路基板と電気的に接続可能な第２のコネクタとを備え、第１のコネクタを回路基板に対して略水平な方向にスライドさせて第２のコネクタに嵌合させることで、ケーブルと回路基板とを電気的に接続させるものであって、
第１のコネクタは、
ケーブルの中心導体に接続される導電性の第１の中心コンタクトと、
第１の中心コンタクトを取り囲むように形成された中空状の導電性の嵌合部、および、嵌合部の外壁から外部に向かって延設された板状の導電性の係止部を備えた、ケーブルの外部導体に接続される導電性の第１のグランドコンタクトと、
第１の中心コンタクトと嵌合部の内壁との間に配置され、第１の中心コンタクトを第１のグランドコンタクトに対して絶縁した状態で保持する第１のハウジングと、を備え、
第２のコネクタは、
回路基板の信号線路と接続可能であると共に、嵌合の際に、第１の中心コンタクトと当接可能な位置に配置された導電性の第２の中心コンタクトと、
回路基板の接地線路と接続可能であると共に、嵌合の際に、第１のグランドコンタクトの嵌合部と当接可能な、回路基板に対して略平行なＵ字状の平板部を有する導電性の第２のグランドコンタクトと、
第２の中心コンタクトを第２のグランドコンタクトに対して絶縁した状態で保持する、回路基板に対して幅広面が略水平になるように第２のグランドコンタクトに取り付けられた、絶縁体からなる板状の第２のハウジングと、を備え、
第２のグランドコンタクトは、
第１の中心コンタクトが第２のハウジングの幅広面に沿うようにして、Ｕ字状の開口部分から奥側に向けてスライド嵌合される第１のコネクタが、第２のコネクタと嵌合した際、第１のグランドコンタクトの嵌合部に当接することで、スライドの方向を除く、幅広面に対して水平になる方向への、第１のコネクタの移動を規制し、更に、第１のグランドコンタクトの係止部と係合することで、幅広面に対して垂直になる方向への、第１のコネクタの移動を規制する、Ｕ字状の平板部から構成される規制部を備える。
【００１４】
また、第２のグランドコンタクトは、
回路基板に対して略平行なＣ字状の平板状の弾性体から構成されており、回路基板に対して略水平な方向にスライド嵌合される第１のコネクタが、Ｃ字状の開口部分に当接したとき、その開口部分を広げて、第１のコネクタを開口部分から挿通し、嵌合が完了した際には、開口部分を狭めて、第１のグランドコンタクトの嵌合部を挟むように保持する保持部を備えていてもよい。
【００１５】
また、保持部は、Ｃ字状の平板の両端に、互いに対向するように突出した突起を備えていてもよい。
【００１６】
また、第２の中心コンタクトは、弾性体で構成されており、嵌合の際に、第１の中心コンタクトを幅広面に対して垂直になる方向に押すことで、第１のコネクタの係止部を第２のコネクタの規制部に当接させるものでもよい。
【００１７】
また、第１のグランドコンタクトの嵌合部は、円筒形状であってもよい。
【発明の効果】
【００１８】
第１のコネクタが、第２のコネクタが電気的に接続された回路基板に対して略水平になる方向へとスライドされて、第２のコネクタと嵌合した際、第２のグランドコンタクトの規制部は、第１のグランドコンタクトの嵌合部に当接することで、スライドの方向を除く、水平になる方向への、第１のコネクタの移動を規制する。
【００１９】
更に、第２のグランドコンタクトの規制部は、第１のグランドコンタクトの係止部と係合することで、回路基板に対して垂直になる方向への、第１のコネクタの移動を規制する。よって、本発明によれば、ケーブルの煽り等が発生して、回路基板に対して略垂直な力が一方のコネクタに加えられても、コネクタ同士の嵌合を維持できる。
【図面の簡単な説明】
【００２０】
【図１】本発明の実施の形態に係る電気コネクタの斜視図である。
【図２】本発明の第１のコネクタの斜視図である。
【図３】本発明の第１のコネクタの断面図である。
【図４】（ａ）は、本発明の第２のコネクタを第１方向から見た斜視図であり、（ｂ）は、本発明の第２のコネクタを第２方向から見た斜視図である。
【図５】（ａ）は、本発明の第２のグランドコンタクトを第１方向から見た斜視図であり、（ｂ）は、本発明の第２のグランドコンタクトを第２方向から見た斜視図である。
【図６】（ａ）は、本発明の第１のコネクタと第２のコネクタとが嵌合した際の電気コネクタを、第１方向から見た斜視図であり、（ｂ）は、本発明の第１のコネクタと第２のコネクタとが嵌合した際の電気コネクタを、第２方向から見た斜視図である。
【図７】（ａ）は、本発明の第１のコネクタと第２のコネクタとが嵌合した際の電気コネクタを、第３方向から見た図であり、（ｂ）は、（ａ）のＢ−Ｂの断面図である。
【図８】（ａ）は、本発明の第１のコネクタと第２のコネクタとが嵌合した際の電気コネクタを、第４方向から見た図であり、（ｂ）は、（ａ）のＣ−Ｃの断面図である。
【図９】（ａ）は、本発明の第１のコネクタと第２のコネクタとが嵌合した際の電気コネクタを、第５方向から見た図であり、（ｂ）は、（ａ）のＤ−Ｄの断面図である。
【図１０】（ａ）は、本発明の第１のコネクタと第２のコネクタとが嵌合した際の電気コネクタを、第４方向から見た図であり、（ｂ）は、（ａ）のＥ−Ｅの断面図である。
【図１１】電子機器に搭載された電気コネクタ１０の斜視図である。
【発明を実施するための形態】
【００２１】
以下、本発明の実施の形態に係る電気コネクタ１０を説明する。電気コネクタ１０は、図１の斜視図に示すように、ケーブルＫａに電気的に接続された第１のコネクタ１００と、第１のコネクタ１００に嵌合可能に構成され、且つ、回路基板Ｋｂに電気的に接続された第２のコネクタ２００とを備える。
【００２２】
第１のコネクタ１００と第２のコネクタ２００とを嵌合させる場合、作業者は、第１のコネクタ１００を、回路基板Ｋｂの幅広面に対して略水平な方向にスライドさせて、具体的には、ｘ方向にスライドさせて、第２のコネクタ２００に嵌合させる。これにより、電気コネクタ１０は、ケーブルＫａと回路基板Ｋｂとを電気的に接続する。
【００２３】
なお、第１のコネクタ１００を説明する図では、第１のコネクタ１００の長手方向をｘ軸方向、短手方向をｙ軸方向、厚さ方向をｚ軸方向とする直交座標系を設定し、適宜参照する。
【００２４】
また、第２のコネクタ２００を説明する図では、第１のコネクタ１００が挿入される方向（奥行き方向）をｘ軸方向、挿入方向と垂直であり、且つ、回路基板Ｋｂの幅広面に対して水平になる方向をｙ軸方向、厚さ方向をｚ軸方向とする直交座標系を設定し、適宜参照する。
【００２５】
第１のコネクタ１００は、図２の斜視図に示すように、金属製の第１のグランドコンタクト１１０を備える。また、第１のコネクタ１００は、図３の断面図に示すように、ケーブルＫａの絶縁体を突き破る圧接刃が形成された、ケーブルＫａの中心導体に接続される金属製の第１の中心コンタクト１２０と、絶縁体で構成された第１のハウジング１３０と、を備える。
【００２６】
第１のグランドコンタクト１１０は、図２，３に示すように、蓋部１１１と、嵌合部１１２と、係止部１１３と、第１のカシメ部１１４と、第２のカシメ部１１５と、を備える。
【００２７】
蓋部１１１は、蓋部１１１と嵌合部１１２とを連結する連結部１１１ａを軸にして、ｘｚ平面に沿って回動可能である。第１のグランドコンタクト１１０の内部にケーブルＫａを配置する場合、蓋部１１１が嵌合部１１２に対してｚ方向に位置した状態で、第１のグランドコンタクト１１０の内部に、ケーブルＫａを配置する。詳細には、図３に示すように、絶縁体が露出した状態のケーブルＫａの先端を、第１の中心コンタクト１２０の圧接刃に当接させて配置する。
【００２８】
その後、蓋部１１１をｘｚ平面に沿って回動させ、蓋部１１１を閉めた状態（図２，３に示す状態）にする。このようにして、第１のグランドコンタクト１１０にケーブルＫａが配置される。
【００２９】
嵌合部１１２は、ｘｙ平面に配置されている。嵌合部１１２の一端の一部は、連結部１１１ａを介して、蓋部１１１に連結されている。嵌合部１１２の他端は、開放されている。
【００３０】
嵌合部１１２は、第１の中心コンタクト１２０の外周を取り囲むように中空状に、具体的には、円筒状に、形成されている。また、嵌合部１１２は、第１の中心コンタクト１２０が延設された方向に（−ｚ方向に）、円筒が延設された形状である。
【００３１】
よって、嵌合部１１２と第１の中心コンタクト１２０との間には空間が形成されている。
【００３２】
係止部１１３は、嵌合部１１２の他端（外壁）から外部に向かって延設された円環状の金属板である。係止部１１３は、ｘｙ平面に配置されている。
【００３３】
第１のカシメ部１１４は、蓋部１１１に一端が接続された矩形状の一対の金属板の２組からなる。第１のカシメ部１１４は、第１のグランドコンタクト１１０内部にケーブルＫａが配置された状態のとき、一対の金属板が折り曲げられると、ケーブルＫａの外部導体を掴む。これにより、第１のカシメ部１１４は、ケーブルＫａの外部導体と第１のグランドコンタクト１１０とを導通させる。
【００３４】
第２のカシメ部１１５は、蓋部１１１に一端が接続された矩形状の一対の金属板である。第２のカシメ部１１５は、第１のグランドコンタクト１１０内部にケーブルＫａが配置された状態のとき、一対の金属板が折り曲げられると、ケーブルＫａの外皮を掴む。これにより、第２のカシメ部１１５は、ケーブルＫａを保持する。
【００３５】
第１の中心コンタクト１２０は、図３に示すように、断面がＵ字状の金属板である。第１の中心コンタクト１２０の端部には、前述したように圧接刃が形成されている。この刃は、ケーブルＫａの絶縁体を突き破り、ケーブルＫａの中心導体に第１の中心コンタクト１２０を当接させるためのものである。
【００３６】
第１のグランドコンタクト１１０の内部にケーブルＫａを配置する場合、第１の中心コンタクト１２０の端部に形成された圧接刃の部分に、絶縁体が露出した状態のケーブルＫａを配置する。そして作業者は、開いた状態の蓋部１１１を閉じる。
【００３７】
これにより、ケーブルＫａが蓋部１１１に押され、ケーブルＫａに−ｚ方向の力が加わる。すると、第１の中心コンタクト１２０に形成された圧接刃が、ケーブルＫａの絶縁体を突き破り、ケーブルＫａの中心導体に当接する。このようにして、第１の中心コンタクト１２０とケーブルＫａの中心導体とが導通する。
【００３８】
第１のハウジング１３０は、第１の中心コンタクト１２０を第１のグランドコンタクト１１０に対して絶縁した状態で保持する。第１のハウジング１３０は、略円柱状の絶縁体である。第１のハウジング１３０は、ｘｙ平面に配置されている。
【００３９】
第１のハウジング１３０は、第１の中心コンタクト１２０を内部に挿入可能なように、中心付近の一部分がくり貫かれている。第１のハウジング１３０に第１の中心コンタクト１２０を挿入すると、その底部１２０ａが、第１のハウジング１３０から露出する。
【００４０】
第１の中心コンタクト１２０が取り付けられた第１のハウジング１３０は、嵌合部１１２の内部空間に配置される。言い換えれば、嵌合部１１２の内壁と第１の中心コンタクト１２０との間に形成された空間に、第１のハウジング１３０が配置される。よって、嵌合部１１２（第１のグランドコンタクト１１０）と第１の中心コンタクト１２０とが、絶縁した状態になる。
【００４１】
なお、第１のハウジング１３０は、嵌合部１１２の内部空間に配置された際、その外壁の一部が、嵌合部１１２の内壁に当接する。このため、第１のハウジング１３０は、第１のグランドコンタクト１１０に固定された状態になる。
【００４２】
第２のコネクタ２００は、図４（ａ），（ｂ）の斜視図に示すように、第２の中心コンタクト２１０と、第２のグランドコンタクト２２０と、第２のハウジング２３０と、を備える。
【００４３】
第２の中心コンタクト２１０は、弾性を有する矩形状の金属板である。第２の中心コンタクト２１０の端部２１０ａは、回路基板Ｋｂの信号線路に、例えばハンダ付け可能である。第２の中心コンタクト２１０は、第１のコネクタ１００と第２のコネクタ２００との嵌合の際、第１の中心コンタクト１２０の底部１２０ａと当接可能な位置に配置されている。
【００４４】
また、第２の中心コンタクト２１０は、＋ｚ方向に山折りされた形状である。よって、第２の中心コンタクト２１０は、第１の中心コンタクト１２０の底部１２０ａが山折り部分に当接した際、その底部１２０ａを＋ｚ方向に押す。
【００４５】
第２のグランドコンタクト２２０は、第１のコネクタ１００と第２のコネクタ２００との嵌合の際、第１のグランドコンタクト１１０の嵌合部１１２と当接可能に構成された金属成形品である。
【００４６】
第２のグランドコンタクト２２０は、回路基板Ｋｂの接地線路に、例えばハンダ付け可能な、壁状の台部２２０ａを備える。また、第２のグランドコンタクト２２０は、第２のハウジング２３０を取り付けるための取付突起２２０ｂを備える。
【００４７】
第２のハウジング２３０は、第２の中心コンタクト２１０を、第２のグランドコンタクト２２０に対して絶縁した状態で保持する。第２のハウジング２３０は、第２の中心コンタクト２１０に取付可能に構成され、且つ、第２のグランドコンタクト２２０に取付可能に構成された平板状の絶縁体である。
【００４８】
第２のハウジング２３０には、第２の中心コンタクト２１０を取り付けるための溝２３０ａと、第２の中心コンタクト２１０の山折り部分を配置するための貫通孔である開口部２３０ｂとが形成されている。
【００４９】
また、第２のハウジング２３０には、第２のハウジング２３０を第２のグランドコンタクト２２０の取付突起２２０ｂに取り付けるための貫通孔である、取付部２３０ｃが形成されている。
【００５０】
第２の中心コンタクト２１０と、第２のグランドコンタクト２２０と、第２のハウジング２３０とを一体化させる際、第２の中心コンタクト２１０の山折り部分を開口部２３０ｂから突き出した状態で、第２の中心コンタクト２１０の一部を溝２３０ａに固定し、取付突起２２０ｂを取付部２３０ｃに固定する。
【００５１】
この一体化により、第２の中心コンタクト２１０は、第２のグランドコンタクト２２０に対して絶縁した状態になる。
【００５２】
第２のハウジング２３０が第２のグランドコンタクト２２０に取り付けられると、第２のハウジング２３０の幅広面Ｓａは、例えば図１に示すように、回路基板Ｋｂに対して略水平になる。
【００５３】
上述した第２のグランドコンタクト２２０の詳細について説明する。
【００５４】
第２のグランドコンタクト２２０は、図５（ａ），（ｂ）に示すように、第１のコネクタ１００の移動を規制する規制部２２１と、規制部２２１に連結された連結部２２２と、嵌合の際に第１のコネクタ１００を保持する保持部２２３と、を備える。規制部２２１と、連結部２２２と、保持部２２３とは、一体成形されている。
【００５５】
規制部２２１は、台部２２０ａと取付突起２２０ｂとに接続され、且つ、＋ｚ方向に立設した立設部２２１ａを備える。また、規制部２２１は、立設部２２１ａに接続され、第２のグランドコンタクト２２０の内側に向かって延設された、Ｕ字状の平板部２２１ｂを備える。
【００５６】
Ｕ字状の平板部２２１ｂは、第２のハウジング２３０の幅広面Ｓａに対して略水平に配置される。Ｕ字状の平板部２２１ｂは、第１のコネクタ１００と第２のコネクタ２００との嵌合の際、第１のグランドコンタクト１１０の嵌合部１１２の外壁と、当接する。また、Ｕ字状の平板部２２１ｂは、嵌合の際、第１のグランドコンタクト１１０の係止部１１３と係合する。
【００５７】
連結部２２２は、規制部２２１と保持部２２３とを連結する。
【００５８】
保持部２２３は、規制部２２１の上部（規制部２２１に対して＋ｚ方向に位置するｘｙ平面）に、第２のハウジング２３０の幅広面Ｓａに対して略水平に配置されている。保持部２２３は、弾性を有する略Ｃ字状の金属平板である。
【００５９】
保持部２２３は、第２のハウジング２３０の幅広面Ｓａに対して略水平な方向にスライド嵌合される第１のコネクタ１００が略Ｃ字状の開口に当接すると、その開口部分を広げて、第１のコネクタ１００を開口部分から挿通する。
【００６０】
また、保持部２２３は、第１のコネクタ１００と第２のコネクタ２００との嵌合が完了した際には、略Ｃ字状の開口部分を狭めて、第１のグランドコンタクト１１０の嵌合部１１２を挟むように保持する。
【００６１】
上述した第２のコネクタ２００と第１のコネクタ１００とを嵌合させる際、作業者は、第１のコネクタ１００を、Ｕ字状の平板部２２１ｂの開口部分から奥側に向けて、第１の中心コンタクト１２０が第２のハウジング２３０の幅広面Ｓａに沿うようにして、スライドさせる。すると、第１のコネクタ１００は、図６（ａ），（ｂ）に示すように、第２のコネクタ２００と嵌合する。
【００６２】
このとき、図７（ａ）のＢ−Ｂ断面を表す図７（ｂ）で示すように、第１の中心コンタクト１２０と第２の中心コンタクト２１０とが当接する。これにより、第１の中心コンタクト１２０と第２の中心コンタクト２１０とが導通する。
【００６３】
また、嵌合の際、図８（ａ）のＣ−Ｃ断面を示す図８（ｂ）で示すように、第１のグランドコンタクト１１０の嵌合部１１２の外壁と、Ｕ字状の平板部２２１ｂとが当接する。これにより、第１のグランドコンタクト１１０と、第２のグランドコンタクト２２０と、が導通する。
【００６４】
更に、嵌合の際、Ｕ字状の平板部２２１ｂは、第１のグランドコンタクト１１０の嵌合部１１２の外壁に当接することで、第１のコネクタ１００のスライドの方向（挿入方向および抜去方向）を除く、第２のハウジング２３０の幅広面Ｓａに対して水平になる方向への、第１のコネクタ１００の移動を規制する。
【００６５】
また、嵌合の際、図９（ａ）のＤ−Ｄ断面を示す図９（ｂ）で示すように、第１のグランドコンタクト１１０の係止部１１３は、Ｕ字状の平板部２２１ｂと、第２のハウジング２３０の幅広面Ｓａとの間に配置される。
【００６６】
これにより、Ｕ字状の平板部２２１ｂは、第１のグランドコンタクト１１０の係止部１１３を係止できる。よって、Ｕ字状の平板部２２１ｂは、第２のハウジング２３０の幅広面Ｓａに対して垂直になる方向への、第１のコネクタ１００の移動を規制する。
【００６７】
従って、ケーブルＫａの煽りが生じる等して、第２のハウジング２３０の幅広面Ｓａに対して略垂直な力（＋ｚ方向の力）がケーブルＫａから一方のコネクタに加えられても、Ｕ字状の平板部２２１ｂと係止部１１３とは、第１のコネクタ１００と第２のコネクタ２００との嵌合を維持する。
【００６８】
また、嵌合の際、第２の中心コンタクト２１０は、その山折り部分に、第１の中心コンタクト１２０の底部１２０ａが当接すると、第１の中心コンタクト１２０を＋ｚ方向（第２のハウジング２３０の幅広面Ｓａに対して垂直になる方向）に押す。これにより、第１のグランドコンタクト１１０の係止部１１３は、Ｕ字状の平板部２２１ｂに、当接した状態で係止される。
【００６９】
よって、第２の中心コンタクト２１０は、第１のコネクタ１００と第２のコネクタ２００との嵌合をより強固にすると共に、第１のコネクタ１００と第２のコネクタ２００との電気的な接続をより安定的に維持する。
【００７０】
更に、嵌合が完了した際、図１０（ａ）のＥ−Ｅ断面を示す図１０（ｂ）で示すように、保持部２２３は、略Ｃ字状の開口部分を狭めて、第１のグランドコンタクト１１０の嵌合部１１２を挟むように保持する。
【００７１】
これにより、保持部２２３は、ケーブルＫａの煽り等が発生して、抜去方向（−ｘ方向）の力がケーブルＫａから第１のコネクタ１００に加えられても、第１のコネクタ１００と第２のコネクタ２００との嵌合を維持する。
【００７２】
また、保持部２２３は、その両端に、互いに対向するように突出した突起２２３ａを有する。突起２２３ａ同士の距離は、第１のグランドコンタクト１１０の嵌合部１１２の直径よりも短い。このため、突起２２３ａは、第１のコネクタ１００と第２のコネクタ２００との嵌合の解除を、より防止できる。
【００７３】
また、第１のコネクタ１００の嵌合部１１２は、円筒形状である。よって、図１１に示すように、第１のコネクタ１００のスライドの方向（挿入方向および抜去方向）に対して、第１のコネクタ１００の長手方向が例えば垂直であっても、第１のコネクタ１００を第２のコネクタ２００に嵌合できる。
【００７４】
このように、円筒形状の嵌合部１１２は、第１のコネクタ１００の長手方向の向きに拘わらず、第１のコネクタ１００を第２のコネクタ２００に嵌合させることを実現する。
【００７５】
上述したように、本実施の形態の電気コネクタ１０では、嵌合の際、Ｕ字状の平板部２２１ｂが第１のグランドコンタクト１１０の嵌合部１１２の外壁に当接するので、第１のコネクタ１００のスライドの方向（挿入方向および抜去方向）を除く、第２のハウジング２３０の幅広面Ｓａに対して水平になる方向への、第１のコネクタ１００の移動を規制できる。
【００７６】
また、本実施の形態の電気コネクタ１０では、嵌合の際、Ｕ字状の平板部２２１ｂが第１のグランドコンタクト１１０の係止部１１３に係止するので、第２のハウジング２３０の幅広面Ｓａに対して垂直になる方向への、第１のコネクタ１００の移動を規制できる。
【００７７】
よって、本実施の形態の電気コネクタ１０によれば、ケーブルＫａの煽り等が発生して、第２のハウジング２３０の幅広面Ｓａに対して略垂直な力が、ケーブルＫａから一方のコネクタに加えられても、第１のコネクタ１００と第２のコネクタ２００との嵌合を維持できる。
【００７８】
また、本実施の形態の電気コネクタ１０では、第２の中心コンタクト２１０は、嵌合の際、第１の中心コンタクト１２０を＋ｚ方向（第２のハウジング２３０の幅広面Ｓａに対して垂直になる方向）に押す。
【００７９】
よって、本実施の形態の電気コネクタ１０によれば、第１のコネクタ１００と第２のコネクタ２００との嵌合をより強固にできると共に、第１のコネクタ１００と第２のコネクタ２００との電気的な接続をより安定的に維持できる。
【００８０】
また、本実施の形態の電気コネクタ１０では、嵌合が完了した際、保持部２２３が、略Ｃ字状の開口部分を狭めて、第１のグランドコンタクト１１０の嵌合部１１２を挟むように保持する。これにより、本実施の形態の電気コネクタ１０によれば、ケーブルＫａの煽り等が発生して、抜去方向（−ｘ方向）の力が、ケーブルＫａから第１のコネクタ１００に加えられても、第１のコネクタ１００と第２のコネクタ２００との嵌合を維持できる。
【００８１】
以上、本発明の実施の形態を説明したが、この発明は上記の実施の形態に限定されず、種々の変形および応用が可能である。
【００８２】
上述した実施の形態の電気コネクタ１０では、保持部２２３は突起２２３ａを備えていたが、これに限られるものではない。保持部２２３は、突起２２３ａを備えなくてもよい。突起２２３ａを備えない保持部２２３では、保持部２２３の端部間の距離を、第１のグランドコンタクト１１０の嵌合部１１２の直径よりも短くすればよい。
【００８３】
この構成によれば、突起２２３ａを備えない保持部２２３でも、第１のグランドコンタクト１１０の嵌合部１１２を挟むように保持できる。よって、突起２２３ａを備えない保持部２２３でも、抜去方向（−ｘ方向）の力が第１のコネクタ１００に加えられた場合、第１のコネクタ１００と第２のコネクタ２００との嵌合を維持できる。
【００８４】
また、上述した実施の形態の電気コネクタ１０では、保持部２２３を備えていたが、これに限られるものではない。電気コネクタ１０は、保持部２２３を備えなくてもよい。この構成の電気コネクタ１０であっても、規制部２２１は、第１のコネクタ１００のスライドの方向（挿入方向および抜去方向）を除く、第２のハウジング２３０の幅広面Ｓａに対して水平になる方向への、第１のコネクタ１００の移動を規制し、更には、第２のハウジング２３０の幅広面Ｓａに対して垂直になる方向への、第１のコネクタ１００の移動を規制できる。
【００８５】
また、上述した実施の形態の電気コネクタ１０では、第１のグランドコンタクト１１０の嵌合部１１２の外形は、円筒形状であったが、これに限られるものではない。第１のコネクタ１００を第２のコネクタ２００に嵌合させる際、第１のコネクタ１００の長手方向の向きが、円筒形状の嵌合部１１２と比べて多少制限されてもよいのであれば、嵌合部１１２の外形は、多角柱状でもよい。
【００８６】
また、上述した実施の形態の電気コネクタ１０では、係止部１１３が、嵌合部１１２の他端に配置されていたが、これに限られるものではない。嵌合の際、係止部１１３が、Ｕ字状の平板部２２１ｂと、第２のハウジング２３０の幅広面Ｓａとの間に配置されるのであれば、係止部１１３を、嵌合部１１２の端部以外の外壁に配置してもよい。
【００８７】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、上述した実施形態ではなく、請求の範囲によって示される。そして、請求の範囲内およびそれと同等の発明の意義の範囲内で施される様々な変形が、本発明の範囲内とみなされる。
【符号の説明】
【００８８】
１０  電気コネクタ、１００  第１のコネクタ、１１０  第１のグランドコンタクト、１１１  蓋部、１１１ａ  連結部、１１２  嵌合部、１１３  係止部、１１４  第１のカシメ部、１１５  第２のカシメ部、１２０  第１の中心コンタクト、１２０ａ  底部、１３０  第１のハウジング、２００  第２のコネクタ、２１０  第２の中心コンタクト、２１０ａ  端部、２２０  第２のグランドコンタクト、２２０ａ  台部、２２０ｂ  取付突起、２２１  規制部、２２１ａ  立設部、２２１ｂ  Ｕ字状の平板部、２２２  連結部、２２３  保持部、２２３ａ  突起、２３０  第２のハウジング、２３０ａ  溝、２３０ｂ  開口部、２３０ｃ  取付部。
【図１】
2015207350.tif 000003
【図２】
2015207350.tif 000004
【図３】
2015207350.tif 000005
【図４】
2015207350.tif 000006
【図５】
2015207350.tif 000007
【図６】
2015207350.tif 000008
【図７】
2015207350.tif 000009
【図８】
2015207350.tif 000010
【図９】
2015207350.tif 000011
【図１０】
2015207350.tif 000012
【図１１】
2015207350.tif 000013